(57)【要約】【課題】カラオケ装置やカラオケシステムにおいて、装飾を目的とする発光部の一部に不具合が発生しても、その不具合を回避することで装飾機能を維持すること。【解決手段】表示パネルが備える１９個の発光部それぞれが有する発光ダイオードから故障した発光ダイオードを検出した場合には（Ｓ１１０：ＹＥＳ）、その故障した発光ダイオードを特定し（Ｓ１２０）、さらに、故障した発光ダイオードが新たに故障したものであると判断された場合には（Ｓ１３０：ＹＥＳ）、メモリが記憶する表示パターンから、今回故障した発光ダイオードを含めて故障中の発光ダイオード（不良発光素子）を用いなくても実行可能な表示パターンを実行パターンとして選択する。このことにより、表示パネルが、一部の発光ダイオードに不具合が発生したにも拘わらず、不良が発生した発光ダイオードを用いなくても実行可能な表示パターンに基づき、その装飾機能を発揮することができる。【選択図】図８
2009204820.tif 000002
【特許請求の範囲】
【請求項１】
利用者が操作部を介して行ったリクエストに応じてカラオケ曲を演奏し、同一機種間にてネットワークを介してデータの送受信が可能なカラオケ装置であって、
特定の波長の可視光を発光可能な発光素子を有する一つ以上の単色発光部または互いに異なる波長の可視光を発光可能な複数の発光素子を有する一つ以上の多色発光部のうちの一方または両方を有し、前記単色発光部または前記多色発光部の発光により装飾機能を発揮する装飾部と、
前記装飾部が有する発光素子の発光具合を個別に制御するための一つ以上の発光パターンから、前記装飾部が有する発光素子を用いて実行可能な発光パターンを実行パターンとして選択する選択部と、
前記選択部が実行パターンとして選択した発光パターンに基づき、前記装飾部が有する発光素子の発光具合を個別に制御する制御部と、
前記選択部が実行パターンを新たに選択した場合には、その実行パターンとして前記選択部が選択した発光パターンを特定する情報を少なくとも含む、前記選択部による選択結果を示す選択情報を、送信するための送信条件を満たすときに同一機種である他のカラオケ装置へ送信し、同一機種である他のカラオケ装置から送信された選択結果を受信する送受信部と、
前記装飾部が有する発光素子の何れかに不具合が発生した場合にその不具合が発生した発光素子を不良発光素子として検出可能な検出部と、を備え、
前記選択部は、前記検出部が不良発光素子を検出した場合には、前記発光パターンから、その検出された不良発光素子を用いなくても実行可能な発光パターンを実行パターンとして選択し、また、前記送受信部が前記選択情報を同一機種である他のカラオケ装置から受信した場合には、その受信した選択情報によって特定される発光パターンを実行パターンとして選択することを特徴とするカラオケ装置。
【請求項２】
複数の異なる機種が存在し、利用者が操作部を介して行ったリクエストに応じてカラオケ曲を演奏し、同一機種間および異機種間にてネットワークを介してデータの送受信が可能なカラオケ装置であって、
特定の波長の可視光を発光可能な発光素子を有する一つ以上の単色発光部または互いに異なる波長の可視光を発光可能な複数の発光素子を有する一つ以上の多色発光部のうちの一方または両方を有し、前記単色発光部または前記多色発光部の発光により装飾機能を発揮する装飾部と、
前記装飾部が有する発光素子の発光具合を個別に制御するための一つ以上の発光パターンから、前記装飾部が有する発光素子を用いて実行可能な発光パターンを実行パターンとして選択する選択部と、
前記選択部が実行パターンとして選択した発光パターンに基づき、前記装飾部が有する発光素子の発光具合を個別に制御する制御部と、
自らの機種を示す機種情報を記憶する機種情報記憶部と、
前記選択部が実行パターンを新たに選択した場合には、その実行パターンとして前記選択部が選択した発光パターンを特定する情報および前記機種情報記憶部が記憶する機種情報を少なくとも含む、前記選択部による選択結果を示す選択情報を、送信するための送信条件を満たすときに同一機種である他のカラオケ装置へ送信し、同一機種である他のカラオケ装置から送信された選択情報を受信する送受信部と、
前記装飾部が有する発光素子の何れかに不具合が発生した場合にその不具合が発生した発光素子を不良発光素子として検出可能な検出部と、を備え、
前記選択部は、前記検出部が不良発光素子を検出した場合には、前記発光パターンから、その検出された不良発光素子を用いなくても実行可能な発光パターンを実行パターンとして選択し、また、前記送受信部が前記選択情報を同一機種である他のカラオケ装置から受信した場合には、その受信した選択情報によって特定される発光パターンを実行パターンとして選択することを特徴とするカラオケ装置。
【請求項３】
請求項１または請求項２に記載のカラオケ装置において、
前記一つ以上の発光パターンを記憶するパターン記憶部を備え、
前記選択部は、前記パターン記憶部が記憶する前記一つ以上の発光パターンから、前記装飾部が有する発光素子を用いて実行可能な発光パターンを実行パターンとして選択すること
を特徴とするカラオケ装置。
【請求項４】
請求項１〜請求項３の何れかに記載のカラオケ装置において、
前記選択情報には、前記検出部が不良発光素子として検出した発光素子を特定する情報が含まれることを特徴とするカラオケ装置。
【請求項５】
請求項１〜請求項４の何れかに記載のカラオケ装置において、
前記制御部は、前記選択部が実行パターンの選択を新たに行った場合には、前記装飾部が有する発光素子の発光具合を個別に制御するのに用いる発光パターンを変更するための変更条件を満たすときに、前記装飾部が有する発光素子の発光具合を個別に制御するために実行パターンとして現在用いている発光パターンから、前記選択部が新たに実行パターンとして選択した発光パターンへ変更し、その変更後の発光パターンに基づき前記装飾部が有する発光素子の発光具合を個別に制御することを特徴とするカラオケ装置。
【請求項６】
請求項５に記載のカラオケ装置において、
前記変更条件には、前記選択部が実行パターンの選択を新たに行ったことが含まれることを特徴とするカラオケ装置。
【請求項７】
請求項５または請求項６に記載のカラオケ装置において、
前記変更条件には、前記装飾部が装飾機能を発揮していないことが含まれることを特徴とするカラオケ装置。
【請求項８】
請求項５〜請求項７の何れかに記載のカラオケ装置において、
前記変更条件には、利用者が当該カラオケ装置を利用中ではないことが含まれることを特徴とするカラオケ装置。
【請求項９】
請求項５〜請求項８の何れかに記載のカラオケ装置において、
前記変更条件には、利用者が当該カラオケ装置にログイン中ではないことが含まれることを特徴とするカラオケ装置。
【請求項１０】
請求項５〜請求項９の何れかに記載のカラオケ装置において、
前記変更条件には、当該カラオケ装置が予め登録された特定の利用者に提供されるサービスを提供中ではないことが含まれることを特徴とするカラオケ装置。
【請求項１１】
請求項５〜請求項１０の何れかに記載のカラオケ装置において、
前記変更条件には、当該カラオケ装置の電源状態がオフからオンになったことが含まれることを特徴とするカラオケ装置。
【請求項１２】
請求項５〜請求項１１の何れかに記載のカラオケ装置において、
前記選択情報には、特定の時刻を示す時刻情報が含まれており、
前記変更条件には、前記時刻情報に示される時刻になったことが含まれることを特徴とするカラオケ装置。
【請求項１３】
請求項５〜請求項１２の何れかに記載のカラオケ装置において、
前記選択情報には、特定の時間帯を示す時間帯情報が含まれており、
前記変更条件には、前記時間帯情報に示される時間帯にあることが含まれることを特徴とするカラオケ装置。
【請求項１４】
複数の、請求項１〜請求項１３の何れかに記載のカラオケ装置がネットワークを介して前記選択情報を送受信可能に接続されているカラオケシステム。
【発明の詳細な説明】
【技術分野】
【０００１】
本発明は、利用者が操作部を介して行ったリクエストに応じてカラオケ曲を演奏するカラオケ装置、および上述のカラオケ装置が複数存在してネットワークを介してデータの送受信が可能に接続されたカラオケシステムに関し、特に、装飾を目的とする発光部の一部に不具合が発生しても、その不具合を回避することで装飾機能を維持する技術に関する。
【背景技術】
【０００２】
利用者からのリクエストに応じてカラオケ曲を演奏するカラオケ装置が知られている。
この種のカラオケ装置においては、リクエストなどの利用者による操作を操作部が受け付けるようになっている。また、この種のカラオケ装置においては、電源のオン・オフや音量の設定値、エコーの設定値、予約曲の有無、予約曲数、再生・停止などの各種情報を表示部に表示するようになっている。このため、上述のような操作部および各種情報を表示可能な表示部が、当該カラオケ装置の筐体の前部に設定されている。
【０００３】
また、この種のカラオケ装置の中には、デザイン上の付加価値として当該カラオケ装置を装飾することを目的に、発光素子などの発光体からなる発光部を当該カラオケ装置の筐体の前部に上述の表示部とは別に備えるものがある。このような発光部は、発光体の発光態様を様々に変化させて当該カラオケ装置を装飾し、利用者を視覚的に楽しませることができる。
【特許文献１】登録実用新案公報３０６０２０８号（第５頁、図２）
【発明の開示】
【発明が解決しようとする課題】
【０００４】
しかし、上述のように装飾を目的とする発光部を備えるカラオケ装置においては、発光部が有する発光体の一部が劣化して発光量が低下したり故障が発生して発光しなくなったりする場合があり、このような場合には発光部による装飾機能が不完全なものとなり、カラオケ装置の利用者にも容易に認識され易い不具合となる。この場合、利用者が、発光部に不具合が発生する前の正常な発光状態および正常ではない発光状態の双方を目撃してその表示不具合を認識する可能性がある。
【０００５】
また、カラオケ店舗の各部屋にそれぞれ設置された同一機種のカラオケ装置がネットワークを介して接続されている場合、カラオケ店舗のある部屋に設置されたカラオケ装置に上述のような不具合が発生すると、そのカラオケ店舗内の他の部屋に設置された同一機種のカラオケ装置の表示内容と相違点が生じる。この場合、例えばその店舗に多人数で来店して複数の部屋に分かれて利用している利用者が各部屋を行き来した際に、その利用者が、発光部が正常な発光状態であるカラオケ装置と、発光部が正常ではない発光状態であるカラオケ装置との双方を目撃して表示不具合を認識する可能性がより高くなる。
【０００６】
なお、上述のように利用者がカラオケ装置の発光部の表示不具合を認識した場合、カラオケ機能などのカラオケ装置が本来発揮すべき基本機能には何ら問題がなく正常に機能するにも拘わらず、店舗に対する苦情やメーカーに対する修理要請の対象になってしまうことがある。この場合、店舗にとっては、基本機能には何ら問題がないにも拘わらず、利用者からの苦情として対応せねばならず、一方、メーカーにとっても、同じく基本機能には何ら問題がないにも拘わらず、店舗を訪問して修理等の対応を行わなければならない状況となり、店舗およびメーカーの双方にとって多大な対応時間および対応費用の負担が発生するという問題があった。
【０００７】
なお、特許文献１には、各発光体を複数の発光素子で構成することで、発光素子の一つが故障しても発光体としての機能を維持する技術が開示されている。しかしながら、このような技術を上述のような装飾を目的とする発光部に適用した場合には、発光素子の一つが故障すると発光部としての発光量が低下してしまい、やはり発光部による装飾機能が不完全なものとなるという問題がある。
【０００８】
本発明は、このような不具合に鑑みなされたものであり、その目的とするところは、利用者が操作部を介して行ったリクエストに応じてカラオケ曲を演奏するカラオケ装置、および上述のカラオケ装置が複数存在してネットワークを介してデータの送受信が可能に接続されたカラオケシステムにおいて、装飾を目的とする発光部の一部に不具合が発生しても、その不具合を回避することで装飾機能を維持する技術を提供することにある。
【課題を解決するための手段】
【０００９】
上記課題を解決するためになされた請求項１に係るカラオケ装置（１：この欄においては、発明に対する理解を容易にするため、必要に応じて「発明を実施するための最良の形態」欄で用いた符号を付すが、この符号によって請求の範囲を限定することを意味するものではない。）は、利用者が操作部を介して行ったリクエストに応じてカラオケ曲を演奏し、同一機種間にてネットワークを介してデータの送受信が可能であり、装飾部（１０）が、一つ以上の単色発光部（１３０）または一つ以上の多色発光部（１３０）のうちの一方または両方を有し、単色発光部または多色発光部の発光により装飾機能を発揮する。なお、単色発光部は、特定の波長の可視光を発光可能な発光素子（１３１）を有する。また、多色発光部は、互いに異なる波長の可視光を発光可能な複数の発光素子（１３１，１３２，１３３）を有する。そして、選択部（１４）が、装飾部が有する発光素子の発光具合を個別に制御するための一つ以上の発光パターンから実行パターンを選択する。なお、実行パターンとは、上述の発光パターンのうち、装飾部が有する発光素子を用いて実行可能な発光パターンを云う。さらに、制御部（１４）が、選択部が実行パターンとして選択した発光パターンに基づき、装飾部が有する発光素子の発光具合を個別に制御する。
【００１０】
また、選択部が実行パターンを新たに選択した場合には、送受信部（１４，１６）が、送信するための送信条件を満たすときに、選択部による選択結果を示す選択情報を同一機種である他のカラオケ装置へ送信する。なお、選択情報には、選択部が実行パターンとして選択した発光パターンを特定する情報が少なくとも含まれる。また、上述の送信条件としては、選択部が実行パターンとして発光パターンを選択したときや、予め設定された時刻になったことなどが挙げられる。また、送受信部が、同一機種である他のカラオケ装置から送信された選択結果を受信する。
【００１１】
さらに、検出部（１４，１２０）が、装飾部が有する発光素子の何れかに不具合が発生した場合にその不具合が発生した発光素子を不良発光素子として検出可能であり、検出部が不良発光素子を検出した場合には、選択部が、上述の一つ以上の発光パターンから、その検出された不良発光素子を用いなくても実行可能な発光パターンを実行パターンとして選択する。なお、不具合の具体例としては、発光素子が劣化してその発光量が低下することや、発光素子に故障が発生したり配線に断線が発生したりすることに起因して発光できなくなることなどが挙げられる。
【００１２】
このことにより、制御部が、その選択部が選択した実行パターンに基づき、装飾部が有する発光素子の発光具合を個別に制御するので、装飾部が、一部の発光素子に不具合が発生したにも拘わらず、不良が発生した発光素子を用いなくても実行可能な発光パターンに基づき、その装飾機能を発揮することができる。
【００１３】
また、送受信部が選択情報を同一機種である他のカラオケ装置から受信した場合には、選択部が、その受信した選択情報によって特定される発光パターンを実行パターンとして選択する。したがって、当該カラオケ装置でも、同一機種である他のカラオケ装置と同じ発光パターンに基づきその装飾機能を発揮することができる。
【００１４】
さらに、上述のように、選択部が実行パターンを新たに選択した場合において、送信条件を満たすときに、送受信部が、選択部による選択結果を示す選択情報を同一機種である他のカラオケ装置へ送信し、その同一機種である他のカラオケ装置でも、送信した選択結果に基づく実行パターンの選択が実行される。したがって、同一機種である他のカラオケ装置でも、当該カラオケ装置と同じ発光パターンに基づきその装飾機能を発揮することができる。
【００１５】
また、カラオケ装置の装飾部の一部の発光素子に不具合が発生した場合であっても、利用者がその不具合を認識しにくくなるので、カラオケ装置が本来発揮すべき基本機能には何ら問題がなく正常に機能するにも拘わらず、店舗に対する苦情やメーカーに対する修理要請の対象に発展してしまうことを未然に防ぐことができる。
【００１６】
ところで、上述のようなカラオケ装置が、複数の異なる機種が存在し、同一機種間および異機種間にてネットワークを介してデータの送受信が可能である場合には、機種によって発光部の配置が異なることがあり、また、機種によって発光パターンが異なることがある。このような場合、ある機種のカラオケ装置が送信した選択情報に基づいて他の機種のカラオケ装置が発光パターンの変更を行うと、装飾部による装飾が上手くいかないおそれがある。
【００１７】
そこで、上述の選択情報に自らの機種を示す機種情報を含めることが考えられる。具体的には、請求項２のように、自らの機種を示す機種情報を記憶する機種情報記憶部を備え、選択情報には、選択部が実行パターンとして選択した発光パターンを特定する情報および機種情報記憶部が記憶する機種情報が少なくとも含まれ、上述のように選択部が実行パターンを新たに選択した場合には、送受信部が、送信するための送信条件を満たす場合に、選択部による選択結果を示す選択情報を同一機種である他のカラオケ装置へ送信する。また、送受信部が、同一機種である他のカラオケ装置から送信された選択結果を受信する。
【００１８】
このようにすれば、複数の異なる機種が存在し、同一機種間および異機種間にてネットワークを介してデータの送受信が可能である場合であっても、同一機種である他のカラオケ装置との間で、同一の発光パターンへ変更することができる。また、他の機種のカラオケ装置が、誤って発光パターンを変更してしまうことを防ぐことができる。
【００１９】
ところで、上述の発光パターンについては、メモリなどの記憶部に記憶しておくことが考えられる。具体的には、請求項３のように、一つ以上の発光パターンを記憶するパターン記憶部（１５）を備え、選択部が、パターン記憶部が記憶する一つ以上の発光パターンから、装飾部が有する発光素子を用いて実行可能な発光パターンを実行パターンとして選択することが考えられる。このようにすれば、より多くの発光パターンを実行パターンを選択する際の選択肢として準備することができる。また、データ量が大きい発光パターンについても実行パターンを選択する際の選択肢として準備することができる。
【００２０】
また、上述の選択情報に、不良発光素子として検出された発光素子を特定する情報を含めるようにしてもよい(請求項４)。このようにすれば、選択情報を送信した他のカラオケ装置にてどの発光素子に不具合が発生したのかを知ることができ、受信した選択情報を活用して、その発光素子を用いなくても実行可能な発光パターンを実行パターンとして選択することできる。
【００２１】
ところで、制御部による実行パターンの変更については、変更条件を満たすときに行うことが考えられる。具体的には、請求項５のように、選択部が実行パターンの選択を新たに行った場合には、制御部が、変更条件を満たすときに、装飾部が有する発光素子の発光具合を個別に制御するために実行パターンとして現在用いている発光パターンから、選択部が新たに実行パターンとして選択した発光パターンへ変更し、その変更後の発光パターンに基づき装飾部が有する発光素子の発光具合を個別に制御することが考えられる。なお、上述の変更条件とは、装飾部が有する発光素子の発光具合を個別に制御するのに用いる発光パターンを変更するための条件を云う。
【００２２】
このようにすれば、装飾部が有する発光素子の不具合が検出されたら直ちに発光パターンを変更する場合に比べて、その発光素子の不具合を利用者が目撃する可能性を低減することができる。
【００２３】
なお、上述の変更条件としては、選択部が実行パターンの選択を新たに行ったことが考えられる（請求項６）。このようにすれば、不具合が発生した発光素子を用いる発光パターンによる装飾を行い続ける時間を極めて短くすることができる。
【００２４】
また、上述の変更条件としては、装飾部が装飾機能を発揮していないことや（請求項７）、利用者が当該カラオケ装置を利用中ではないこと（請求項８）、利用者が当該カラオケ装置にログイン中ではないこと（請求項９）、当該カラオケ装置が予め登録された特定の利用者に提供されるサービスを提供中ではないこと（請求項１０）、当該カラオケ装置の電源状態がオフからオンになったこと（請求項１１）、が考えられる。このようにすれば、装飾部が有する一部の発光素子に不具合が発生したことに利用者が気づかないこともあり、その場合には、不具合が発生した発光素子を用いる発光パターンから、不具合が発生した発光素子を用いない発光パターンへと切り替わる瞬間を利用者に見られなくて済む。
【００２５】
また、上述の変更条件としては、特定の時刻になったことが考えられる。具体的には、請求項１２のように、選択情報には、特定の時刻を示す時刻情報が含まれており、変更条件には、時刻情報に示される時刻になったことが含まれることが考えられる。このようにすれば、互いに選択情報を送受信可能な当該カラオケ装置および同一機種である他のカラオケ装置が、同一の発光パターンへ同時に変更することできる。
【００２６】
また、上述の変更条件としては、特定の時間帯にあることが考えられる。具体的には、請求項１３のように、選択情報には、特定の時間帯を示す時間帯情報が含まれており、変更条件には、時間帯情報に示される時間帯にあることが含まれることが考えられる。このようにすれば、互いに選択情報を送受信可能な当該カラオケ装置および同一機種である他のカラオケ装置が、例えばカラオケ装置があまり利用されない時間帯などの同一時間帯のうちに同一の発光パターンへ変更することできる。
【００２７】
なお、本発明は、上述のような複数のカラオケ装置がネットワークを介して上述のような選択情報を送受信可能に接続されているカラオケシステムにおいても適用することができる。
【発明を実施するための最良の形態】
【００２８】
以下に本発明の実施形態を図面とともに説明する。
［第一実施形態］
図１はカラオケシステム１００を示す概略説明図である。また、図２はカラオケ装置１の構成を示すブロック図である。また、図３（ａ）は筐体２、パネルケース１１０、基板１２０、発光部１３０、タッチパネル１４０および化粧パネル１５０の各部構成を示す概略説明図であり、図３（ｂ）は発光部１３０の構成を示す概略説明図である。また、図４は化粧パネル１５０の各部構成を示す説明図である。
【００２９】
［カラオケシステム１００の構成の説明］
図１に示すように、カラオケシステム１００は複数のカラオケ装置１を備え、これら複数のカラオケ装置１がネットワークを介してデータの送受信が可能に接続された構成を有している。カラオケ装置１は、利用者が操作部を介して行ったリクエストに応じてカラオケ曲を演奏する機能を有し、複数の異なる機種が存在する。また、カラオケシステム１００では、同一機種間および異機種間にてネットワークを介してデータの送受信が可能となっている。
【００３０】
［カラオケ装置１の構成の説明］
図２に示すように、カラオケ装置１は、筐体２、カラオケ装置１全体の制御を司るＣＰＵ１４、及びこのＣＰＵ１４に接続された以下の各部、すなわち画像情報等を映像化するための映像処理部１１、ＭＰＥＧ映像データの再生手段となるＭＰＥＧデコーダ１２、カラオケ演奏用の楽曲データや映像データその他各種データを記憶しているハードディスク（ＨＤＤ）１３、システムプログラムや各種の設定に必要な設定データなどを記憶しておくメモリ１５、ＬＡＮインターフェース１６、時刻管理をするＲＴＣ（Real Time Clock ）１７、ＭＩＤＩデータ（楽曲データ）に基づく演奏再生を行うＭＩＤＩ音源部１８、ＭＩＤＩ音源部１８による再生音及びマイク２３から入力される利用者（歌唱者）の歌声をミキシングする等して適宜音声処理を施す音声処理部１９、赤外線通信部２５、を備えている。
【００３１】
なお、ＣＰＵ１４は、赤外線通信部２５を介して、カラオケ曲及びドラマや映画などのコンテンツの予約操作などを行う操作部としてのリモコン２６とデータの送受信が可能である。また、音声処理部１９には、アンプ２０を介してスピーカ２２が接続されており、音声処理部１９が音声処理した利用者の歌声およびカラオケ演奏がアンプ２０で増幅された後にスピーカ２２から放音される。また、映像処理部１１にはモニタ２４が接続されており、映像処理部１１が映像化した背景画像や歌詞テロップなどの画像情報がモニタ２４に表示される。
【００３２】
［筐体２の構成の説明］
筐体２は、箱形状に形成された導電性を有する金属材料で構成されるとともに、その内部にＣＰＵ１４およびこのＣＰＵ１４に接続された各種構成を収容可能に構成されている。また、筐体２は、その前面に略方形の開口部２ａを有しており、開口部２ａには装飾部としての表示パネル１０が取り付けられている。
【００３３】
［表示パネル１０の構成の説明］
表示パネル１０は、図３（ａ）に示すように、パネルケース１１０と、基板１２０と、発光部１３０と、タッチパネル１４０と、化粧パネル１５０と、を備えている。なお、本実施形態では１９個の発光部１３０が存在する。発光部１３０については後述する。また、図４では、化粧パネル１５０と二つの発光部１３０のみを図示している。
【００３４】
このうちパネルケース１１０は、その一部が開口する箱形状に形成された樹脂などの絶縁材料で構成されるとともに、その内部に基板１２０を収容可能に構成されている。また、パネルケース１１０は、その開口部の周縁部を筐体２の開口部２ａの周縁部に取り付けることで、筐体２の開口部２ａを塞ぐことが可能に構成されている。
【００３５】
また、パネルケース１１０の前面には、１９個の凹部１１５が形成されている。これら凹部１１５の位置は、基板１２０に取り付けられた発光部１３０の位置に対応する。なお、発光部１３０については後述する。各凹部１１５は、その開口部１１５ａが略円形であるすり鉢状に形成されるとともに、その底部１１５ｂには、基板１２０に取り付けられた発光部１３０の先端部１３０ａを挿入可能な挿入孔１１５ｃが形成されている。
【００３６】
基板１２０は、横方向に長い略長方形に形成され、１９個の発光部１３０が化粧パネル１５０側に実装され（以下、実装面）、コンデンサ、抵抗器などの電子部品がその実装面の裏面（図示せず）に実装されている。なお、基板１２０の実装面は、縦方向に７分割されるとともに横方向に７分割された合計４９個の区画に分割されている。各区画のアドレスについては、図５（ａ）に示すように、左上隅部を基準として、下方向に行（Ａ）〜行（Ｇ）の計７行と、右方向に列（１）〜列（７）の計７列とによって特定される。なお、本実施形態では、基板１２０には、図５（ａ）に示すように、合計１９個の発光部１３０が、基板１２０の中央を横方向に７個が並び、基板１２０の左下隅部と右上隅部とを結ぶ対角線上に７個が並び、基板１２０の左上隅部と右下隅部とを結ぶ対角線上に７個が並ぶように配置されている。そして、基板１２０は、実装面に実装された発光部１３０の先端部１３０ａがパネルケース１１０の凹部１１５の挿入孔１１５ｃに挿入された状態で、パネルケース１１０の内部に収納されている。このことにより、発光部１３０の前方にパネルケース１１０、タッチパネル１４０および化粧パネル１５０が配置された状態となる。
【００３７】
また、基板１２０の実装面には、各発光部１３０が有する発光ダイオード１３１，１３２，１３３の発光具合を個別に制御するための回路が形成されている。
また、各発光部１３０は、ＣＰＵ１４からの指令に応じて、基板１２０による制御により、可視光を前方の化粧パネル１５０に照射する機能を有する。具体的には、発光部１３０は、互いに異なる波長の可視光を発光可能な三つの発光ダイオード（発光素子）を有する。本実施形態では、発光部１３０は、図３（ｂ）に示すように、赤色（Ｒ）の可視光を発光可能な発光ダイオード１３１と、緑色（Ｇ）の可視光を発光可能な発光ダイオード１３２と、青色（Ｂ）の可視光を発光可能な発光ダイオード１３３とを有する。そして、各発光部１３０は、基板１２０によって三色の発光ダイオード１３１，１３２，１３３の発光強度を個別に制御されることにより、様々な波長の可視光を発光することができる。なお、発光部１３０が、一つの発光ダイオードを有するようにしてもよいし、二つまたは四つ以上の発光ダイオードを有するようにしてもよい。なお、一種類の発光ダイオードを有する場合の発光部１３０は特許請求の範囲における単色発光部に該当し、複数種類の発光ダイオードを有する場合の発光部１３０は特許請求の範囲における多色発光部に該当する。
【００３８】
また、タッチパネル１４０は、化粧パネル１５０に対して行われた利用者によるタッチ操作を受け付ける機能を有する。また、タッチパネル１４０は、図３（ａ）に示すように、パネルケース１１０の表面に当接し、且つ基板１２０に実装された発光部１３０の前方にその先端部１３０ａから所定間隔を離れるように配置されている。なお、タッチパネル１４０の具体的な構成については公知技術に従っているのでここではその詳細な説明は省略する。
【００３９】
また、化粧パネル１５０は、略方形の薄板状に形成した透過性または半透過性を有する樹脂材料から構成されており、パネルケース１１０の前面に取り付け可能に構成されている。なお、半透過性とは、例えば、光の有無が判断できる程度、および略形状が特定できる程度の透過性を云う。このことにより、化粧パネル１５０は、各発光部１３０から照射された可視光を透過させる。
【００４０】
［メモリ１５の構成の説明］
メモリ１５には、自らの機種を特定する情報が記憶されている。また、メモリ１５には、表示パターンが記憶されている。なお、表示パターンは特許請求の範囲における発光パターンに相当する。この表示パターンとは、表示パネル１０が有する発光部１３０の各発光ダイオードの発光具合を個別に制御するためのパターンである。なお、表示パターンには、図６（ａ）〜（ｃ）に例示するような各発光部１３０が有する三つの発光ダイオードのうちの一つを各発光部１３０で発光させるパターンや、図６（ｄ）〜（ｆ）に例示するような各発光部１３０が有する三つの発光ダイオードのうちの二つを各発光部１３０で発光させるパターン、図６（ｇ）に例示するような各発光部１３０が有する三つの発光ダイオードすべてを各発光部１３０で発光させるパターン、図６（ｈ）に例示するような各発光部１３０が有する三つの発光ダイオードのうちの二つを発光強度が異なるように各発光部１３０で発光させるパターン、図６（ｉ）に例示するような各発光部１３０が有する三つの発光ダイオードすべてを発光強度が異なるように各発光部１３０で発光させるパターンなどがある。なお、これら表示パターンの何れかを継続して発光させるようしてもよいし、これら表示パターンのうちの幾つかを組み合わせて変化させるようにしてもよい。また、図７（ｄ）〜（ｅ）に例示するように、中央部分と周囲部分とで異なる表示パターンを組み合わせるようにしてもよい。
【００４１】
［カラオケ装置１のその他の構成について］
なお、本実施形態のカラオケ装置１のその他の構成については、公知技術に従っているので、ここでは詳細な説明は省略する。
【００４２】
［故障検出処理の説明］
以下に、ＣＰＵ１４により実行される故障検出処理の処理手順を図８のフローチャートに基づいて説明する。この故障検出処理は、カラオケ装置１が起動している場合において他の処理からは独立して繰り返し実行される。
【００４３】
まず、表示パネル１０が備える１９個の発光部１３０それぞれが有する発光ダイオードから故障した発光ダイオードを検出する（Ｓ１１０）。具体的には、基板１２０によって表示パネル１０が有する各発光ダイオードに順に電圧が印加され、前記発光ダイオードに直列に接続された電流制限抵抗（図示せず）の両端の電圧値をＣＰＵ１４はＡＤコンバータ（図示せず）などを用いて計測することで、その抵抗値と電圧値とから順方向電流値を特定し、予め記憶した値（正常動作時の順方向電流値）と比較している。なお、ＣＰＵ１４に直接発光ダイオードを接続し、ＣＰＵ１４が発光ダイオードを点灯する場合は、ＣＰＵ１４が供給する電流値を計測する。計測値と記憶値との比較値に著しい変化がある場合に、ＣＰＵ１４が、その発光ダイオードに劣化や故障が発生したと判断する。なお、以下の説明では発光ダイオードに劣化が発生した場合にも故障が発生したと表現する。表示パネル１０が備える１９個の発光部１３０それぞれが有する発光ダイオードから故障した発光ダイオードを検出していない場合には（Ｓ１１０：ＮＯ）、表示パターンを変更する必要がないため、Ｓ１１０を再度実行しながら待機する。
【００４４】
一方、表示パネル１０が備える１９個の発光部１３０それぞれが有する発光ダイオードから故障した発光ダイオードを検出した場合には（Ｓ１１０：ＹＥＳ）、その故障した発光ダイオードを特定する（Ｓ１２０）。具体的には、先のＳ１１０にて表示パネル１０が有する各発光ダイオードそれぞれに電圧を印加した結果から、故障した発光ダイオードが、基板１２０に設定された４９個の区画のうちのどの区画に存在する発光部１３０に属し、どの色の発光ダイオードであるのかを特定する。
【００４５】
続いて、故障した発光ダイオードが新たに故障したものであるか否かを判断する（Ｓ１３０）。具体的には、故障した発光ダイオードを特定する情報をメモリ１５に記憶しておき、その情報を参照することで、今回の故障した発光ダイオードが過去に故障した発光ダイオードなのか今回故障が判明した発光ダイオードなのかを判断する。故障した発光ダイオードが新たに故障したものではない、つまり過去に故障した発光ダイオードであると判断された場合には（Ｓ１３０：ＮＯ）、表示パターンを変更する必要がないため、Ｓ１１０を再度実行しながら待機する。
【００４６】
一方、故障した発光ダイオードが新たに故障したものであると判断された場合には（Ｓ１３０：ＹＥＳ）、表示パターンを選択する（Ｓ１４０）。具体的には、メモリ１５が記憶する表示パターンから、今回故障した発光ダイオードを含めて故障中の発光ダイオード（不良発光素子）を用いなくても実行可能な表示パターンを実行パターンとして選択する。
【００４７】
以下に、上述の実行パターンの選択を例を挙げて説明する。ここでは、図７（ａ）に例示するように、各発光部１３０が有する発光ダイオードのうち緑色の発光ダイオード１３２および青色の発光ダイオード１３３をそれぞれ発光させる表示パターンが実行パターンとして選択され、その実行パターンとして選択された表示パターンに基づき、各発光部１３０が有する発光ダイオードのうち緑色の発光ダイオード１３２および青色の発光ダイオード１３３がそれぞれ発光している場合を例に説明する。この際、発光部１３０は、緑色の発光ダイオード１３２および青色の発光ダイオード１３３が発光することにより、発光部１３０としては水色の可視光を発光している。図７（ｂ）に例示するように、行（Ｇ）および列（７）にある区画の発光部１３０の青色の発光ダイオード１３３が故障した場合、その行（Ｇ）および列（７）にある区画の発光部１３０が緑色の可視光を発光するようになる。そこで、今回故障した行（Ｇ）および列（７）にある区画の発光部１３０の青色の発光ダイオード１３３を用いなくても実行可能な表示パターンを、メモリ１５が記憶する表示パターンから選択する。一例を挙げると、故障した発光ダイオードの色を使用しない色に変更するため、図７(ｃ)に例示するような各発光部１３０が有する発光ダイオードのうち緑色の発光ダイオード１３２をそれぞれ発光させる表示パターン（故障対応パターン１）を選択することや、外周部分にある区画のみ色を変更するため、図７(ｄ)に例示するような各発光部１３０が有する発光ダイオードのうち緑色の発光ダイオード１３２および青色の発光ダイオード１３３をそれぞれ発光させるとともに最外周である行Ａ、行Ｇ、列１および列７にある区画の発光部１３０については緑色の発光ダイオード１３２のみをそれぞれ発光させる表示パターン（故障対応パターン２）を選択すること、対角線上にある区画のみ色を変更するため、図７(ｅ)に例示するような各発光部１３０が有する発光ダイオードのうち緑色の発光ダイオード１３２および青色の発光ダイオード１３３をそれぞれ発光させるとともに中央部を除く対角線上の区画の発光部１３０については緑色の発光ダイオード１３２のみをそれぞれ発光させる表示パターン（故障対応パターン３）を選択すること、などである。
【００４８】
そして、表示パターンを変更する旨を示すフラグを設定する（Ｓ１５０）。さらに、表示パターンが変更される旨の情報（選択情報）を作成し、その作成した情報を、ＬＡＮインターフェース１６を介してネットワーク経由で同一機種である他のカラオケ装置１へ送信する（Ｓ１６０）。なお、送信される情報には、選択された表示パターンを特定する情報、故障した発光ダイオードが属する区画と故障した発光ダイオードの色を示す情報、および当該カラオケ装置１の機種を示す情報(機種情報)が含まれる。
【００４９】
そして、本処理を終了する。
［表示パターン変更処理（１）の説明］
以下に、ＣＰＵ１４により実行される表示パターン変更処理（１）の処理手順を図９のフローチャートに基づいて説明する。この表示パターン変更処理（１）は、カラオケ装置１が起動している場合において他の処理からは独立して繰り返し実行される。
【００５０】
まず、表示パターンを変更する旨を示すフラグが設定されているか否かを判断する（Ｓ２１０）。なお、このフラグは、故障検出処理のＳ１４０にて実行パターンが新たに選択された際に設定される。表示パターンを変更する旨を示すフラグが設定されていないと判断された場合には（Ｓ２１０：ＮＯ）、表示パターンを変更する必要がないため、Ｓ２１０を再度実行しながら待機する。
【００５１】
一方、表示パターンを変更する旨を示すフラグが設定されていると判断された場合には（Ｓ２１０：ＹＥＳ）、ログイン中の利用者が存在するか否かを判断する（Ｓ２２０）。ログイン中の利用者が存在すると判断された場合には（Ｓ２２０：ＹＥＳ）、表示パターンを変更するとその変更にログイン中の利用者が気づく可能性があるため、Ｓ２２０を繰り返し実行しながら待機する。
【００５２】
一方、ログイン中の利用者が存在しないと判断された場合には（Ｓ２２０：ＮＯ）、現在実行中の表示パターンから、故障検出処理のＳ１４０にて実行パターンとして選択された表示パターンへ変更する（Ｓ２３０）。
【００５３】
そして、本処理を終了する。
［表示パターン変更処理（２）の説明］
以下に、ＣＰＵ１４により実行される表示パターン変更処理（２）の処理手順を図１０のフローチャートに基づいて説明する。この表示パターン変更処理（２）は、カラオケ装置１が起動している場合において他の処理からは独立して繰り返し実行される。
【００５４】
まず、表示パターンが変更される旨の情報（選択情報、故障通知）を、ＬＡＮインターフェース１６を介してネットワーク経由で他のカラオケ装置１から受信したか否か判断する（Ｓ３１０）。他のカラオケ装置１から表示パターンが変更される旨の情報を受信していないと判断された場合には（Ｓ３１０：ＮＯ）、表示パターンを変更する必要がないため、現在実行中の表示パターンを継続して実行することとし（Ｓ３５０）、Ｓ３１０に移行する。
【００５５】
一方、他のカラオケ装置１から表示パターンが変更される旨の情報を受信した判断された場合には（Ｓ３１０：ＹＥＳ）、その情報に含まれる機種情報を参照して、その情報の送信元である他のカラオケ装置１が当該カラオケ装置１と同一機種であるか否かを判断する（Ｓ３２０）。その情報の送信元である他のカラオケ装置１が当該カラオケ装置１と同一機種ではないと判断された場合には（Ｓ３２０：ＮＯ）、表示パターンを変更する必要がないため、現在実行中の表示パターンを継続して実行することとし（Ｓ３５０）、Ｓ３１０に移行する。
【００５６】
一方、その情報の送信元である他のカラオケ装置１が当該カラオケ装置１と同一機種であると判断された場合には（Ｓ３２０：ＹＥＳ）、ログイン中の利用者が存在するか否かを判断する（Ｓ３３０）。ログイン中の利用者が存在すると判断された場合には（Ｓ３３０：ＹＥＳ）、表示パターンを変更するとその変更にログイン中の利用者が気づく可能性があるため、Ｓ３２０を繰り返し実行しながら待機する。
【００５７】
一方、ログイン中の利用者が存在しないと判断された場合には（Ｓ３３０：ＮＯ）、受信した情報に含まれる他のカラオケ装置１にて選択された表示パターンを特定する情報を参照して、現在実行中の表示パターンから、受信した情報が指定する表示パターンへ変更する（Ｓ３４０）。
【００５８】
そして、本処理を終了する。
［第一実施形態の効果］
（１）このように第一実施形態のカラオケ装置１およびカラオケシステム１００によれば、表示パネル１０が備える１９個の発光部１３０それぞれが有する発光ダイオードから故障した発光ダイオードを検出した場合には（Ｓ１１０：ＹＥＳ）、その故障した発光ダイオードを特定し（Ｓ１２０）、さらに、故障した発光ダイオードが新たに故障したものであると判断された場合には（Ｓ１３０：ＹＥＳ）、メモリ１５が記憶する表示パターンから、今回故障した発光ダイオードを含めて故障中の発光ダイオード（不良発光素子）を用いなくても実行可能な表示パターンを実行パターンとして選択する（Ｓ１４０）。
【００５９】
このことにより、ＣＰＵ１４が、その選択した実行パターンに基づき、表示パネル１０が有する発光ダイオードの発光具合を個別に制御するので、表示パネル１０が、一部の発光ダイオードに不具合が発生したにも拘わらず、不良が発生した発光ダイオードを用いなくても実行可能な表示パターンに基づき、その装飾機能を発揮することができる。
【００６０】
（２）また、同一機種である他のカラオケ装置１から表示パターンが変更される旨の情報を受信したと判断された場合において（Ｓ３１０：ＹＥＳ、Ｓ３２０：ＹＥＳ）、ログイン中の利用者が存在しないときには（Ｓ３３０：ＮＯ）、受信した情報に含まれる他のカラオケ装置１にて選択された表示パターンを特定する情報を参照して、現在実行中の表示パターンから、受信した情報が指定する表示パターンへ変更する（Ｓ３４０）。したがって、当該カラオケ装置１でも、同一機種である他のカラオケ装置１と同じ表示パターンに基づきその装飾機能を発揮することができる。
【００６１】
（３）さらに、上述のようにＣＰＵ１４が実行パターンを新たに選択した場合には、表示パターンが変更される旨の情報（選択情報）を作成し、その作成した情報を、ＬＡＮインターフェース１６を介してネットワーク経由で同一機種である他のカラオケ装置１へ送信し（Ｓ１６０）、一方、その同一機種である他のカラオケ装置１でも、送信した情報に基づき実行パターンの選択が実行される。したがって、同一機種である他のカラオケ装置１でも、当該カラオケ装置１と同じ表示パターンに基づきその装飾機能を発揮することができる。
【００６２】
（４）また、上述のようにカラオケ装置１の表示パネル１０の一部の発光ダイオードに不具合が発生した場合であっても、利用者がその不具合を認識しにくくなるので、カラオケ装置１が本来発揮すべき基本機能には何ら問題がなく正常に機能するにも拘わらず、店舗に対する苦情やメーカーに対する修理要請の対象に発展してしまうことを未然に防ぐことができる。
【００６３】
（５）また、第一実施形態のカラオケ装置１およびカラオケシステム１００によれば、表示パターンが変更される旨の情報（選択情報）を作成する際に、当該カラオケ装置１の機種を示す情報(機種情報)を含めるので、本実施形態のように複数の異なる機種が存在し、同一機種間および異機種間にてネットワークを介してデータの送受信が可能である場合であっても、同一機種である他のカラオケ装置１との間で、同一の表示パターンへ変更することができる。また、他の機種のカラオケ装置１が、誤って表示パターンを変更してしまうことを防ぐことができる。
【００６４】
（６）また、第一実施形態のカラオケ装置１およびカラオケシステム１００によれば、表示パターンをメモリ１５に記憶しておくので、より多くの表示パターンを実行パターンを選択する際の選択肢として準備することができる。また、データ量が大きい表示パターンについても実行パターンを選択する際の選択肢として準備することができる。
【００６５】
（７）また、第一実施形態のカラオケ装置１およびカラオケシステム１００によれば、表示パターンが変更される旨の情報（選択情報）を作成する際に、故障した発光ダイオードが属する区画と故障した発光ダイオードの色を示す情報を含める。このことにより、表示パターンが変更される旨の情報を送信した他のカラオケ装置１にてどの発光ダイオードに不具合が発生したのかを知ることができ、受信した情報を活用して、その発光ダイオードを用いなくても実行可能な表示パターンを実行パターンとして選択することできる。
【００６６】
（８）また、第一実施形態のカラオケ装置１およびカラオケシステム１００によれば、ログイン中の利用者が存在しないときに（Ｓ２２０：ＮＯ、Ｓ３３０：ＮＯ）、表示パターンの変更を実行するので（Ｓ２３０、Ｓ３４０）、表示パネル１０が有する発光ダイオードの不具合が検出されたら直ちに表示パターンを変更する場合に比べて、その発光ダイオードの不具合を利用者が目撃する可能性を低減することができる。
【００６７】
［他の実施形態］
以上、本発明の一実施形態について説明したが、本発明は上記実施形態に限定されるものではなく、以下のような様々な態様にて実施することが可能である。
【００６８】
（１）上記実施形態では、ログイン中の利用者が存在しないときに（Ｓ２２０：ＮＯ、Ｓ３３０：ＮＯ）、表示パターンの変更を実行するが（Ｓ２３０、Ｓ３４０）、これには限られず、次のような他の変更条件を満たすときに表示パターンの変更を実行するようにしてもよい。
【００６９】
（１−１）上述の変更条件としては、ＣＰＵ１４が実行パターンの選択を新たに行ったことが挙げられる。このようにすれば、不具合が発生した発光ダイオードを用いる表示パターンによる装飾を行い続ける時間を極めて短くすることができる。
【００７０】
（１−２）また、上述の変更条件としては、表示パネル１０が装飾機能を発揮していないことや、利用者が当該カラオケ装置１を利用中ではないこと、当該カラオケ装置１が予め登録された特定の利用者に提供されるサービスを提供中ではないこと、当該カラオケ装置１の電源状態がオフからオンになったこと、が挙げられる。
【００７１】
具体的には、メモリ１５の一部は不揮発性メモリ（図示せず）で構成されている。カラオケ装置２の電源状態がオンのときに、ＣＰＵ１４はＳ１１０〜Ｓ１３０にて不具合検出を行い、不具合を検出したときには、Ｓ１４０の処理に代わり、前記不揮発性メモリに表示パターンを記憶する処理（Ｓ１４０´）を行い、Ｓ１５０に遷移して表示パターンの変更フラグを書き込む（セットする）。そして、Ｓ１６０へは遷移せずにＳ１１０に戻る。次に、電源をオフにして、次回オンにしたときには、ＣＰＵ１４は故障検出処理をＳ１１０からスタートさせる以前の、かつ、自装置の表示パネル１０のＬＥＤ１３０へ電源を供給する以前に前記不揮発性メモリを読出し、前記不揮発性メモリ値に変更フラグがセットされていた場合には、前記不揮発性メモリからＳ１４０´で記憶した情報も読み出し、自装置の表示パターンを決定し（Ｓ１４０相当）、故障検出処理をＳ１６０からスタートさせるとともに、自表示パネル１０の発光ダイオードへ電源を供給する。このことにより、電源をオフし、電源オン後の表示パネル１０の発光ダイオードが点灯された時点では、表示パネル１０の表示パターンは変更されている。
このようにすれば、表示パネル１０が有する一部の発光ダイオードに不具合が発生したことに次回電源オン後の利用者が気づかないこともあり、その場合には、不具合が発生した発光ダイオードを用いる表示パターンから、不具合が発生した発光ダイオードを用いない表示パターンへと切り替わる瞬間を利用者に見られなくて済む。
【００７２】
（１−３）また、上述の変更条件としては、特定の時刻になったことが挙げられる。なおこの場合には、他のカラオケ装置１に送信する情報に、特定の時刻を示す時刻情報を含める必要がある。このようにすれば、当該カラオケ装置１および当該カラオケ装置１と同一機種である他のカラオケ装置１が、同一の表示パターンへ同時に変更することできる。
【００７３】
（１−４）また、上述の変更条件としては、特定の時間帯にあることが挙げられる。なおこの場合には、他のカラオケ装置１に送信する情報に、特定の時間帯を示す時間帯情報を含める必要がある。このようにすれば、当該カラオケ装置１および当該カラオケ装置１と同一機種である他のカラオケ装置１が、例えばカラオケ装置１があまり利用されない時間帯（例えば、ネットワークに接続された、各カラオケ装置１と通信可能な顧客の入店管理を行う管理装置（図示せず）が、顧客の一人も入店していない状態の、つまり全てのカラオケ装置１が非利用状態である、全カラオケ装置１がログアウトを検出している特定の時間帯）などの同一時間帯のうちに、例えば、前記管理装置が前記全カラオケ装置１が非利用状態である特定の時間帯に、各カラオケ装置１に、全カラオケ装置１が非利用状態として信号を報知し、前記信号を受信した全カラオケ装置１のうち、不具合を検出している（Ｓ１１０相当）カラオケ装置１が新たな表示パターンを他のカラオケ装置１に通知（Ｓ１６０相当）することによって、各カラオケ装置１をあまり利用されていない時間帯に、不具合が発生した発光ダイオードを用いない表示パターンへと切り替わる瞬間を利用者に見られなくて済む状態で同一の表示パターンへ変更することできる。
【００７４】
（２）上記実施形態では、故障した発光ダイオードが新たに故障したものであると判断された場合には（Ｓ１３０：ＹＥＳ）、表示パターンを選択し（Ｓ１４０）、さらに、表示パターンが変更される旨の情報（選択情報）を作成し、その作成した情報を、ＬＡＮインターフェース１６を介してネットワーク経由で同一機種である他のカラオケ装置１へ送信するが（Ｓ１６０）、これには限られず、他の送信条件を満たすときに、表示パターンが変更される旨の情報を送信するようにしてもよい。一例を挙げると、予め設定された時刻（例えば、閉店時刻）になったことが挙げられる。
【００７５】
（３）上記実施形態では、カラオケ装置１に複数の異なる機種が存在する例を挙げたが、これには限られず、同一機種の複数のカラオケ装置１から構成されるカラオケシステムにも本発明を適用してもよい。なおこの場合、他のカラオケ装置１に送信する情報に、自らの機種を示す情報（機種情報）を含めなくてもよい。
【図面の簡単な説明】
【００７６】
【図１】カラオケシステムを示す概略説明図である。
【図２】カラオケ装置の構成を示すブロック図である。
【図３】（ａ）は筐体、パネルケース、基板、発光部、タッチパネルおよび化粧パネルの各部構成を示す概略説明図であり、（ｂ）は発光部の構成を示す概略説明図である。
【図４】化粧パネルの各部構成を示す説明図である。
【図５】（ａ）は表示パネルの発光部の配置を示す説明図であり、（ｂ）は表示パネルの発光部の構成を示す説明図である。
【図６】（ａ）はパネルの発光部の表示パターンを示す説明図（１）であり、（ｂ）は表示パネルの発光部の表示パターンを示す説明図（２）であり、（ｃ）は表示パネルの発光部の表示パターンを示す説明図（３）であり、（ｄ）は表示パネルの発光部の表示パターンを示す説明図（４）であり、（ｅ）は表示パネルの発光部の表示パターンを示す説明図（５）であり、（ｆ）は表示パネルの発光部の表示パターンを示す説明図（６）であり、（ｇ）は表示パネルの発光部の表示パターンを示す説明図（７）であり、（ｈ）は表示パネルの発光部の表示パターンを示す説明図（８）であり、（ｉ）は表示パネルの発光部の表示パターンを示す説明図（９）である。
【図７】（ａ）は表示パターン変更処理を説明する説明図（１）であり、（ｂ）は表示パターン変更処理を説明する説明図（２）であり、（ｃ）は表示パターン変更処理を説明する説明図（３）であり、（ｄ）は表示パターン変更処理を説明する説明図（４）であり、（ｅ）は表示パターン変更処理を説明する説明図（５）である。
【図８】故障検出処理を示すフローチャートである。
【図９】表示パターン変更処理（１）を示すフローチャートである。
【図１０】表示パターン変更処理（２）を示すフローチャートである。
【符号の説明】
【００７７】
１…カラオケ装置、２…筐体、２ａ…筐体の開口部、１０…表示パネル、１１…映像処理部、１２…ＭＰＥＧデコーダ、１３…ＨＤＤ、１４…ＣＰＵ、１５…メモリ、１６…ＬＡＮインターフェース、１７…ＲＴＣ、１８…ＭＩＤＩ音源部、１９…音声処理部、２０…アンプ、２２…スピーカ、２３…マイク、２４…モニタ、２５…赤外線通信部、２６…リモコン、１００…カラオケシステム、１１０…パネルケース、１１５…凹部、１１５ａ…凹部の開口部、１１５ｂ…凹部の底部、１１５ｃ…凹部の挿入孔、１２０…基板、１３０…発光部、１３０ａ…発光部の先端部、１３１，１３２，１３３…発光ダイオード、１４０…タッチパネル、１５０…化粧パネル
【図１】
2009204820.tif 000003
【図２】
2009204820.tif 000004
【図３】
2009204820.tif 000005
【図４】
2009204820.tif 000006
【図５】
2009204820.tif 000007
【図６】
2009204820.tif 000008
【図７】
2009204820.tif 000009
【図８】
2009204820.tif 000010
【図９】
2009204820.tif 000011
【図１０】
2009204820.tif 000012